(57)【要約】【課題】  噴孔から噴射された流体を衝突させるときに、流体噴霧を広げられ、空気との接触面積の増加が可能な流体噴射弁を提供する。【解決手段】  バルブボディ２９の先端部に形成された流体通路の出口に複数個の噴孔２８ａを有する噴孔プレート２８を備えた流体噴射弁１において、噴孔２８ａは、少なくとも３個の噴孔２８ａａ〜２８ａｆを一組として構成され、一組の噴孔２８ａａ〜２８ａｆに囲まれる噴射方向下流側の一点に向けて、一点から所定距離Δｘｘずらされて集合する噴孔軸２８ａｊを有する。【選択図】  図１
2005042615.tif 000002
【特許請求の範囲】
【請求項１】
バルブボディの先端部に形成された流体通路の出口に複数個の噴孔を有する噴孔プレートを備えた流体噴射弁において、
前記噴孔は、少なくとも３個の噴孔を一組として構成され、
前記一組の噴孔に囲まれる噴射方向下流側の一点に向けて、前記一点から所定距離ずらされて集合する噴孔軸を有することを特徴とする流体噴射弁。
【請求項２】
前記所定距離は、前記噴孔径以下であることを特徴とする請求項１に記載の流体噴射弁。
【請求項３】
前記噴孔軸の前記噴孔プレートの板厚方向における傾斜角は、４５°以下であることを特徴とする請求項１または請求項２に記載の流体噴射弁。
【請求項４】
前記少なくとも３個の噴孔から構成される前記組を二組有し、
前記二組の互いの前記一点は、前記噴孔プレートの軸線から所定距離離間して配置されることを特徴とする請求項１から請求項３のいずれか一項に記載の流体噴射弁。
【請求項５】
前記一点は、前記一点を囲む前記各噴孔に対して等距離にあることを特徴とする請求項１から請求項４のいずれか一項に記載の流体噴射弁。
【請求項６】
前記一点を囲む前記各噴孔の噴射方向は、前記一点を中心に略同一の回転方向にあることを特徴とする請求項１から請求項５のいずれか一項に記載の流体噴射弁。
【請求項７】
バルブボディの先端部に形成された流体通路の出口に複数個の噴孔を有する噴孔プレートを備えた流体噴射弁において、
前記噴孔は、円筒状に形成された少なくとも２個の噴孔を一組として構成され、
前記一組の噴孔に囲まれる噴射方向下流側の一点に向けて、前記一点から所定距離ずらされて集合する噴孔軸を有することを特徴とする流体噴射弁。
【発明の詳細な説明】
【技術分野】
【０００１】
本発明は、流体噴射弁に関し、例えば内燃機関に燃料を噴射供給する燃料噴射弁に適用して好適なものである。
【背景技術】
【０００２】
流体噴射弁としては、例えば内燃機関の燃焼室に直接あるいは間接的に燃料噴射する燃料噴射弁が知られている。この種の燃料噴射弁から供給された燃料は、燃焼室あるいは吸気管において空気と混合され、燃焼室内に可燃混合気を形成する。燃焼室内の可燃混合気はピストン運動により圧縮された後、点火装置により着火燃焼し、内燃機関の動力として利用されている。
【０００３】
近年車両の排気ガス規制が強化されている。排気ガス中に含まれる有害成分を低減するために、燃料噴射弁から噴射される燃料噴霧を微粒化することが重要となっている。
【０００４】
特許文献１は、噴孔から噴射された燃料を衝突させて中実の噴霧を形成させる技術が開示されている。複数の噴孔を有する噴孔プレートをバルブボディの先端に設け、燃料噴射方向で噴射軸が交差するように形成されている。
【０００５】
特許文献２は、噴孔から噴射された燃料の流れの安定、反復性を改善する技術が開示されている。噴孔プレートを薄板状に形成し、噴孔を噴孔プレートに直角に開ける。このとき、噴孔プレート厚さＬと噴孔径Ｄの比率Ｌ／Ｄが、Ｌ／Ｄ≦０．５の関係になるように形成し、しかも噴孔プレートのうち、噴孔が設けられた平面部を傾斜させることで噴射方向つまり噴射角度の変更を実現する。
【０００６】
特許文献３は、三つの噴孔を一組として二組を形成し、二つの別個の円錐状燃料スプレーパターンを形成する技術が開示されている。三つの噴孔から噴射された燃料が所定の下流位置で衝突する。
【０００７】
特許文献４の開示する技術では、鉢状凹部（カップ状）を有する噴孔プレートと、バルブボディの弁座に着座および離座可能な球状弁とを備え、この鉢状凹部と球状弁との間に集合室を形成し、球状弁と弁座との間を流れる燃料の無駄容積を最小とするように形成される。
【０００８】
特許文献５の開示する技術では、噴射された燃料が互いに衝突する少なくとも二つ以上の噴孔を有し、この噴孔の内周壁に突起部を形成する。
【特許文献１】特開昭４９−７３５３０号公報
【特許文献２】特公平４−６３２２９号公報
【特許文献３】特公平５−３４５１５号公報
【特許文献４】特開平２−２１１２６７号公報
【特許文献５】実開平４−２４６５７号公報
【発明の開示】
【発明が解決しようとする課題】
【０００９】
上記従来技術は、複数個の噴孔から噴射された燃料噴流を下流側空間上で衝突させることで、微粒化の促進を図ろうとするものであるが、いずれの従来技術も、複数個の燃料噴流を空間の一点あるいは二点（特許文献３による従来技術）に集合させるものである。このため、衝突後の燃料噴流つまり噴霧は十分広がらず、空気との接触面積が小さく微粒化が必ずしも十分に促進しないという問題があった。
【００１０】
本発明は、このような事情を考慮してなされたものであり、その目的は、噴孔から噴射された流体を衝突させるときに、流体噴霧を広げられ、空気との接触面積の増加が可能な流体噴射弁を提供することにある。
【００１１】
また、別の目的は、噴孔から噴射された流体を衝突させるときに流体噴霧を広げられ空気との接触面積の増加が可能であるとともに、安価な流体噴射弁を提供することにある。
【課題を解決するための手段】
【００１２】
本発明の請求項１によると、バルブボディの先端部に形成された流体通路の出口に複数個の噴孔を有する噴孔プレートを備えた流体噴射弁において、噴孔は、少なくとも３個の噴孔を一組として構成され、一組の噴孔に囲まれる噴射方向下流側の一点に向けて、一点から所定距離ずらされて集合する噴孔軸を有することを特徴とする。
【００１３】
これによると、各噴孔から噴射された流体を互いにずらして衝突させることが可能である。その結果、噴孔から噴射された燃料等の流体噴流は噴霧を広げ、空気との接触面積を増加させる。例えば燃料噴霧は空気との接触面積を増加させることで、噴孔から噴射された燃料の微粒化の促進が図れる。
【００１４】
本発明の請求項２によると、所定距離は、噴孔径以下であることを特徴とする。
【００１５】
これによると、各噴孔の噴孔軸が、噴射方向下流側の一点に向けて集合しながら、一点からずらされる所定距離は、噴孔１個分の噴孔径以下とするので、各噴孔から噴射された流体を互いに集合点（一点）から僅かにずれて衝突つまり合流できる。その結果合流した流体噴霧は、例えば中空円錐状等の液膜状体となり、空気との接触面積の拡大化が図れる。
【００１６】
なお、集合する少なくとも二流体噴流間に挟まれる空間には、流体噴流との摩擦等により空間内の空気が持ち去られて負圧が生じるため、各噴孔から噴射された流体噴流が集合するときには、ずれ量は噴孔径より小さくなって僅かにずれて各流体噴流が衝突する。
【００１７】
本発明の請求項３によると、噴孔軸の噴孔プレートの板厚方向における傾斜角を、４５°以下にすることができる。
【００１８】
本発明の請求項４によると、少なくとも３個の噴孔から構成される組を二組有し、二組の互いの一点は、噴孔プレートの軸線から所定距離離間して配置されることを特徴とする。
【００１９】
これによると、例えば中空円錐状等の液膜状体となる流体スプレーパターンを二つ形成、つまりいわゆる２ジェットの流体噴霧を形成することが可能である。
【００２０】
本発明の請求項５によると、一点は、一点を囲む各噴孔に対して等距離にあることが好ましい。
【００２１】
これによると、各噴孔から噴射された流体は、ほぼ同じ運動エネルギーを有して集合することが可能であるので、一点からずらして衝突した後、例えば中空円錐状等の液膜状体に安定して形成される。しかも、その液膜状体は、例えば全周方向等、全体にわたってほぼ均質に微粒化された流体噴霧に形成される。
【００２２】
本発明の請求項６によると、一点を囲む各噴孔の噴射方向は、一点を中心に略同一の回転方向にあることを特徴とする。
【００２３】
これによると、各噴孔の噴射方向が一点を中心にほぼ同一の回転方向にある構成を有する流体噴射弁に適用して好適である。各噴孔から噴射された流体噴流がずらされて衝突した後に合流する液膜状体つまり流体噴霧は、空気との接触面積が増大するような薄膜状に、例えば中空円錐状に広げられる。
【００２４】
本発明の請求項７によると、バルブボディの先端部に形成された流体通路の出口に複数個の噴孔を有する噴孔プレートを備えた流体噴射弁において、噴孔は、円筒状に形成された少なくとも２個の噴孔を一組として構成され、一組の噴孔に囲まれる噴射方向下流側の一点に向けて、一点から所定距離ずらされて集合する噴孔軸を有することを特徴とする。
【００２５】
これによると、噴孔形状が円筒状に形成されているため、例えば略長円状のものに比べて、流体の流れが確定し易いつまり流体噴流の主流がある。そのため、少なくとも２個の噴孔から噴射された流体の主流を互いにずらして衝突させることが可能となるため、空気との接触面積を増加させることが可能である。なお、円筒形状は、噴孔径が略一定のストレート状の円筒、噴射方向に先細のテーパ状の円筒、あるいは先太のテーパ状の円筒等であってもよい。
【発明を実施するための最良の形態】
【００２６】
以下、本発明の流体噴射弁を、内燃機関に燃料を噴射供給する燃料噴射弁に適用して、具体化した実施形態を図面に従って説明する。図１は、本実施形態に係わる噴孔プレートの構成を表す模式図であって、図１（ａ）は図１中のバルブボディの先端部に形成された流体通路の出口を流体流入側からみた平面図、図１（ｂ）は図１（ａ）のＢ−Ｂからみた横断面図である。図２は、本実施形態の流体噴射弁の概略構成を示す縦断面図である。図３は、図２中の弁部周りを示す部分的拡大断面図である。なお、図４は、本実施形態に係わる噴孔プレートに配設された噴孔から噴射された流体の噴霧形状を示す模式図であって、図４（ａ）は正面図、図４（ｂ）は図４（ａ）のＢ−Ｂからみた断面図である。
【００２７】
図２に示すように、燃料噴射弁（以下、インジェクタと呼ぶ）１は、内燃機関（エンジン）、特にガソリンエンジンに用いられる。インジェクタ１は、エンジンの吸気管等に取り付けられて、図示しない燃料ポンプにより加圧された燃料を供給される。インジェクタ１から噴射された燃料は、吸入空気とともに、エンジンの燃焼室へ供給される。インジェクタ１は、略円筒形状であり、一端から燃料を受け、他端から燃料を噴射する。インジェクタ１は、燃料噴射を断続する弁部Ｂと、弁部Ｂを駆動する電磁駆動部Ｓと、燃料を微粒化し、噴霧を形成する噴孔プレート２８とを含んで構成されている。インジェクタ１の燃料入口には、フィルタ１１が取り付けられており、異物が除去される。なお、噴孔プレート２８は、燃料を微粒化し、噴霧を形成する噴霧形成手段を構成する。
【００２８】
弁部Ｂは、図２および図３に示すように、バルブボディ２９と、弁部材（以下、ノズルニードルと呼ぶ）２６とを有する。バルブボディ２９は、金属内筒部材１４の下端側の内壁に固定されている。なお、バルブボディ２９と金属内筒部材１４の固定方法としては、例えばレーザ溶接等によって外側から全周に溶接される。具体的には、バルブボディは、金属内筒部材１４の磁性筒部材１４ｃに圧入、または挿入可能されている。バルブボディ２９と磁性筒部材１４ｃとは、外側から全周にわたって溶接されている。バルブボディ２９の内周側には、ノズルニードル２６が当接および離間可能な弁座としての円錐斜面２９ａが形成されている。バルブボディ２９の内側には、エンジンへ燃料噴射する燃料の燃料通路が形成されており、燃料流れの下流側から上流に向かって、円錐斜面２９ａ、ノズルニードル２６を摺動可能に支承する円筒壁面２９ｄ、円錐斜面２９ｅが順に形成されている。弁座２９ａは、燃料の流れに沿って縮径する。弁座２９ａは、ノズルニードル２６の当接部２６ｃと協働して、弁部としての開弁、閉弁を実行する。円筒壁面２９ｄは、ノズルニードル２６を摺動可能に支承するニードル支持孔しているとともに、ノズルニードル２６の円筒突出部２６ａの外周側切欠部２６ｆとの間に燃料通路を形成している。円錐斜面２９ｅは燃料上流に向かって拡径している。
【００２９】
ノズルニードル２６は、バルブボディ２９（詳しくは円筒壁面２９ｄ）に摺動可能に支承される円筒突出部２６ａと、円筒突出部２６ａの燃料下流側に向かって形成される有底筒状体２６ｂと、円筒突出部２６ａの燃料上流側に形成されアーマチャ２５に係合する軸部２６ｄとを含んで構成されている。有底筒状体２６ｂの先端には、弁座２９ａに当接および離間可能な当接部２６ｃが形成されている。
【００３０】
噴孔プレート２８は、図１、図２および図３に示すように、バルブボディ２９の先端に配置され、複数の噴孔２８ａから燃料を噴射し、燃料噴霧を微粒化する。噴孔プレート２８は薄い金属板である。噴孔プレート２８には、ニードル２６の先端面２６ｔ（本実施例では平面）と対向する範囲に複数（本実施例では、図１（ａ）に示すように６個）の噴孔２８ａが形成されている。噴孔２８ａは、要求される燃料の噴霧の形状、方向、数などに応じて、その大きさ、噴孔軸線の方向、噴孔配列等が決定される。また、噴孔２８ａの開口面積は、開弁時の流量を規定する。したがって、インジェクタ１の燃料噴射量は、噴孔の開口面積と、開弁期間とによって計量される。
【００３１】
なお、以下本実施形態で説明する噴孔２８ａの形状は、噴孔径が一定のストレート孔（ストレート状の円筒）とする。なお、噴孔形状は、ストレート状の円筒に限らず、噴射方向に先細のテーパ状の円筒、あるいは先太のテーパ状の円筒等の円筒状であってもよい。
【００３２】
本実施形態では、図１（ａ）に示すように、噴孔プレート２８に形成された噴孔２８ａのうち、少なくとも３個（本実施では、６個）２８ａａ、２８ａｂ、２８ａｃ、２８ａｄ、２８ａｅ、２８ａｆを一組として構成する。この一組の噴孔２８ａａ〜２８ａｆの噴孔軸２８ａｊは、これら噴孔２８ａａ〜２８ａｆに囲まれる噴射方向下流側の一点に向けてわずかにずらして集合する。具体的には、これら噴孔２８ａａ〜２８ａｆの噴孔軸２８ａｊは、図１（ａ）に示すように、その一点から所定距離Δｘｘだけずらされて集合する。
【００３３】
なお、本実施例では、各燃料噴流を形成する噴孔２８ａの噴孔軸２８ａｊを燃料噴射方向に延ばした延長線と、噴孔プレート２８から軸方向距離Ｌｇ離れ、噴孔プレート２８軸と直交する仮想平面との交点は、図１（ｂ）に示すように、噴孔プレート２８軸を中心とする円φεの略円上に位置している。円φεは所定距離Δｘｘを半径として形成されている。なお、比較例の図９は、従来技術に係わる噴孔プレートを示しており、円φεのε＝０（ΔｘｘがΔｘｘ＝０）の一点に衝突する構成である。上記軸方向距離Ｌｇと区別してＬｃで表している。
【００３４】
なお、ここで、所定距離Δｘｘは、各噴孔２８ａの噴孔軸２８ａｊを一点に向けかせながらその一点からずらして集合させる燃料噴流衝突手段を構成する。
【００３５】
所定距離Δｘｘは、各噴孔２８ａの径をｄとすると、０．２５×ｄ≦Δｘｘ≦１×ｄの範囲にすることが好ましい。所定距離Δｘｘが０．２５×ｄより小さくなると、各噴孔２８ａａ〜２８ａｆから噴射された燃料をずらして衝突した後に形成される燃料の噴霧の形状が、不安定な中空円錐状となる。このため、噴霧は中空円錐状となって広げられ、空気との接触面積が増加するものの、中空円錐状の形成が不安定となるために空気との接触面積の増加が十分に図れない。所定距離Δｘｘが１×ｄより大きくなると、各噴孔２８ａａ〜２８ａｆから噴射された燃料をずらして衝突する際に、それら燃料（燃料噴流）の一部が衝突して合流せず、そのまま噴射軸方向に直進する場合がある。このため、各燃料噴流が衝突した後に合流して形成される中空円錐状の噴霧が形成されなくなる。なお、中空円錐状の噴霧については後述する。
【００３６】
具体的には、６個の噴孔２８ａは、噴孔プレート２８の同一円周上に設けられ、それら噴孔２８ａの間隔は等間隔に配置されている。例えば互いに一点を中心に対向する噴孔２８ａｂと噴孔２８ａｅは、これら噴孔２８ａｂ、２８ａｅの噴孔軸２８ａｊ間のオフセット距離は、Δｘだけ離れている（図１（ａ）参照）。Δｘは２×Δｘｘに等しい。各噴孔２８ａの噴孔軸２８ａｊを一点に向けかせながらその一点からずらして集合させる条件を表すと、０．５×ｄ≦Δｘｘ≦２×ｄの範囲にあることが好ましい。集合する少なくとも二燃料噴流間に挟まれる空間には、燃料噴流との摩擦等により空間内の空気が持ち去られて負圧が生じる。そのため、各噴孔から噴射された燃料噴流が円φε上に集合するときには、燃料噴流の実際のずれ量は、二噴孔間のオフセット距離Δｘでは噴孔径２×ｄあったものが、噴孔径２×ｄより小さくなって僅かにずれるからである。そして、僅かにずれて各燃料噴流は衝突する。同様に、噴孔軸２８ａｊの所定距離Δｘｘが噴孔径１×ｄあったものが、燃料噴流の実際のずれ量は噴孔径より小さくなって僅かにずれて、各燃料噴流が衝突する。
【００３７】
なお、ここで、所定距離Δｘｘを、角度で表すと、図１（ａ）に示すように、噴孔２８ａから一点に向かう軸線と噴孔軸２８ａｊとでなすオフセット角βで表される。このオフセット角βは、噴孔仕様により変える。なお、噴孔プレート２８に配設された噴孔径は全ておなじであるもの（本実施例）に限らず、複数の噴孔が存在してもよい。オフセット角βを噴孔２８ａａ〜２８ａｆごとに変える。
【００３８】
なお、以下の本実施形態の説明では、所定距離Δｘｘもしくはオフセット角βによる噴孔２８ａの条件設定によって、一点を囲む各噴孔２８ａａ〜２８ａｆの噴射方向は、一点を中心に略同一の回転方向にあるものとする。
【００３９】
さらになお、図１（ｂ）に示す噴孔軸２８ａｊの傾斜角αは、７．５°≦α≦４５°の範囲にあることが好ましい。傾斜角αが４５°より大きくなると、各噴孔から噴射された燃料噴流が衝突後に形成される噴霧が、噴孔プレート２８側に飛散する場合があり、この場合、噴孔プレート２８および噴孔２８ａに飛散燃料が付着する等の好ましくない現象が発生する。傾斜角αが７．５°より小さくなると、衝突した後に形成される燃料の噴霧の形状が、不安定な中空円錐状となる。
【００４０】
さらになお、ここで、図１（ｂ）に示す各噴孔軸２８ａｊ間のいわゆる衝突角θで表すと、θは、２×αに等しい。衝突した後に中空円錐状の噴霧形状に形成される衝突条件は、７．５°≦α≦４５°（１５°≦θ≦９０°）の範囲にあることが好ましい。
【００４１】
電磁駆動部Ｓは、図２に示すように、コイル３１、金属円筒部材１４、アーマチャ２５、および圧縮スプリング２４とを有する。コイル３１は、樹脂製のボビン（以下、スプールと呼ぶ）３０の外周に巻回されている。コイル３１の端部はターミナル１２が電気的に接続しており、２つのターミナルとして引き出されている。スプール３０は、金属円筒部材１４の外周に装着されている。金属円筒部材１４の外周には、樹脂モールド１３が配置され、ターミナル１２を収容するコネクタ部１６が設けられている。なお、コイル３１とスプール３０は、通電により電磁力を発生する駆動コイルＣを構成する。
【００４２】
金属内筒部材１４は、磁性部と非磁性部からなるパイプ材であり、例えば複合磁性材で形成されている。金属円筒部材１４は、燃料の流れの上流から下流に向かって、磁性筒部１４ａ、非磁性筒部１４ｂ、磁性筒部１４ｃを有している。非磁性筒部１４ｂは、金属円筒部材１４の一部を加熱して非磁性化することにより形成されている。なお、磁性筒部１４ａ、非磁性筒部１４ｂ、および磁性筒部１４ｃを溶接等により接合することにより金属内筒部材１４として形成されてもよい。金属円筒部材１４の内周には、アーマチャ収容孔１４ｅが設けられており、非磁性筒部１４ｂと磁性筒部１４ｃとの境界付近に、アーマチャ２５が収容されている。金属円筒部材１４は、コイル３１に通電したときに起きる磁束が流れる磁気回路を形成する。金属円筒部材１４の外側には、磁性部材２３、樹脂モールド１３が設けられている。磁性部材２３はコイル３１の外周を覆っている。磁性部材２３はＣ字状の板である。磁性部材２３は、金属内筒部材１４の外周に当接しており、金属内筒部材１４とともに、磁気回路の一部を構成している。具体的には、磁性部材２３は、例えば２枚の金属プレート２３ａ、２３ｂからなり、これら金属プレート２３ａ、２３ｂの一端が金属内筒部材１４の磁性筒部１４ａの外周に当接し、他端が磁性筒部１４ｃの外周に当接するように構成されている。樹脂モールド１３は、磁性部材２３の全周にわたって形成され、磁性部材２３および金属内筒部材１４の外周を覆っている。
【００４３】
なお、金属内筒部材１４は、アーマチャ２５の軸方向最大移動量を規制可能な吸引部２２が形成されている。
【００４４】
アーマチャ２５は、磁性ステンレス等の強磁性材料からなる筒状体である。アーマチャ２５はノズルニードル２６に固定されている。アーマチャ２５の内部空間２５ｅは、金属内筒部材１４のアーマチャ収容孔１４ｅに形成される内部燃料通路とお互いに連通している。
【００４５】
圧縮スプリング２４は、アーマチャ２５をバルブボディ２９に向けて付勢する。吸引部２２の内周に配置されたアジャスティングパイプ２１の端面と、アーマチャ２５のスプリング座２５ｃとの間に配置されている。アジャスティングパイプ２１は吸引部２２の内周に圧入固定されている。アジャスティングパイプ２１の圧入量により圧縮スプリング２４の付勢力を調整する。
【００４６】
なお、磁気回路は、磁性筒部１４ａ、吸引部２２、アーマチャ２５、磁性筒部１４ｃ、および磁性部材２３により構成される。吸引部２２は、通電により磁気回路内に生じる磁束によってアーマチャ２５を軸方向移動可能にする吸引力を発生する吸引力発生部材を構成する。
【００４７】
インジェクタ１の作動について以下説明する。コイル３１に通電すると、コイル３１には電磁力が生じる。したがって、アーマチャ２５は吸引部２２に向けて引きつけられ、ノズルニードル２６が弁座２９ａから離間する。よって、インジェクタ１は開弁し、燃料が噴孔２８ａを通して噴射される。
【００４８】
噴孔２８ａは、噴孔２８ａから噴射された燃料（燃料噴流）をずらして衝突させる。そして衝突して各燃料噴流は合流する。合流した燃料噴流は、図４（ａ）に示すように、中空円錐状等の液膜状体の噴霧となる。その結果、噴霧は広げられ、空気との接触面積が増加する。なお、従来技術による噴霧（図１０参照）に比べると、噴霧は広げられ、空気との接触面積が増加している。
【００４９】
さらに、図４（ｂ）に示す噴霧の横断面は、略全周にわたってほぼ均一に微粒化されている。なお、上記一点は、一点を囲む各噴孔２８ａａ〜２８ａｆに対して等距離にあることが好ましい。各噴孔２８ａａ〜２８ａｆから噴射された燃料噴流は、ほぼ同じ運動エネルギーを有して集合できるので、一点からずらして衝突した後、中空円錐状の噴霧に安定して形成される。
【００５０】
コイル３１への通電が停止されると、コイル３１に生じていた電磁力が消失する。ノズルニードル２６が、圧縮スプリング２４により弁座２９ａに向けて押付けられ、インジェクタ１は閉弁し、燃料噴霧が遮断される。コイル３１への通電期間を調節することにより、インジェクタ１から噴射される燃料噴霧の燃料噴射量が調節される。
【００５１】
なお、ここで、噴孔から噴射された燃料をずらして衝突させることによる、噴霧を広げ、空気との接触面積増加の効果を、本実施形態による噴霧形状と従来技術による噴霧形状とを噴霧観察写真で比較して確認した。図１１（ｂ）は本実施形態による噴霧形状の正面写真図である。図１１（ａ）は従来技術による噴霧形状の正面写真図である。図１１（ａ）は、本実施形態（図１１（ｂ）参照）のオフセット角βが１０°であるのに対して、β＝０（オフセットなし）であることのみが異なる（図９参照）。図１１（ｂ）において、噴霧の外側の方が、液滴（燃料）の密度が濃いようにみえるが、中空円錐状等の薄膜状体を正面からみるとき、薄肉の中央側に比べて、薄肉部を側面からみる外側の方が密度が高くみえるためであり、噴霧断面は全周にわたってほぼ均一な液滴に微粒化されている。なお、図１１（ｂ）は図４（ａ）に示す噴霧形状の模式図に対応する。図１１（ａ）は図１０に示す噴霧形状の模式図に対応する。
【００５２】
次に、本実施形態の作用効果を説明すると、（１）噴孔プレート２８に配設された複数個の噴孔２８ａａ〜２８ａｆは、少なくとも３個の噴孔を一組として構成され、一組の噴孔に囲まれる噴射方向下流側の一点に向けて、一点から所定距離Δｘｘずらされて集合する噴孔軸２８ａｊを有するので、各噴孔２８ａａ〜２８ａｆから噴射された燃料を互いにずらして衝突させることが可能である。その結果、噴孔から噴射された燃料噴流は噴霧を広げ、空気との接触面積を増加させる。例えば燃料噴霧は空気との接触面積を増加させることで、噴孔２８ａａ〜２８ａｆから噴射された燃料の微粒化の促進が図れる。
【００５３】
（２）さらに、各噴孔２８ａａ〜２８ａｆの噴孔軸２８ａｊが噴射方向下流側の一点に向けて集合しながら一点からずらされる所定距離Δｘｘは、噴孔１個分の噴孔径以下とする（Δｘｘ≦１×ｄ）ので、各噴孔２８ａａ〜２８ａｆから噴射された燃料を互いに集合点（一点）から僅かにずれて衝突つまり合流できる。その結果合流した燃料噴霧は、例えば中空円錐状等の液膜状体となり、空気との接触面積の拡大化が図れる。なお、所定距離Δｘｘは、０．２５×ｄ≦Δｘｘ≦１×ｄの範囲にすることが好ましい。
【００５４】
（３）上記一点は、一点を囲む各噴孔２８ａａ〜２８ａｆに対して等距離にあることが好ましい。各噴孔２８ａａ〜２８ａｆから噴射された燃料噴流は、ほぼ同じ運動エネルギーを有して集合できるので、一点からずらして衝突した後、中空円錐状の噴霧に安定して形成される。
【００５５】
（他の実施形態）
なお、上述した実施形態では、噴孔プレート２８に配設された複数個の噴孔２８ａａ〜２８ａｆの全噴孔を一組として構成されるものとして説明したが、図５に示すように、二組を有し、この二組の互いの一点が、噴孔プレート２８の軸線（本実施例では、インジェクタ１の軸線でもある）から所定距離離間して配置されているものでもよい。図５は、他の実施形態に係わる噴孔プレートの構成を表す模式図であって、図５（ａ）は流体流入側からみた平面図、図５（ｂ）は図５（ａ）のＢ−Ｂからみた横断面図である。図５（ａ）に示すように、３個の噴孔２８ａａ、２８ａｂ、２８ａｆ、３個の噴孔２８ａｃ、２８ａｄ、２８ａｅをそれぞれ一組とし、二組を構成する。二組の互いの一点は、噴孔プレート２８の軸線から所定距離離間して配置されるので、二組の各噴孔軸２８ａｊが集合する円φεは、それぞれ別個に形成される。これにより、例えば中空円錐状等の液膜状体となる流体スプレーパターンを二つ形成、つまりいわゆる２ジェットの流体噴霧を形成することが可能である。
【００５６】
なお、二組の各一点は、それぞれ各噴孔２８ａａ、２８ａｂ、２８ａｆ、各噴孔２８ａｃ、２８ａｄ、２８ａｅに対して等距離にあることが好ましい。例えば各噴孔２８ａａ、２８ａｂ、２８ａｆが正三角形の頂部に配置されるように噴孔プレート２８に配設される。上述の実施形態で説明した各噴孔２８ａａ〜２８ａｆを同一円周上に配置する構成に代えて、略楕円状の円周上に配置する構成でもよい。いずれも、各噴孔２８ａａ、２８ａｂ、２８ａｆから一点までの距離をほぼ等しくすることが可能である。
【００５７】
さらになお、本実施形態で説明した噴孔２８ａａ〜２８ａｆの形状は、噴孔径が略一定のストレート状の円筒に形成されているので、噴孔形状がスリット状等の略長円状であるものに比べて、噴孔から噴射される燃料の流れが確定し易いつまり燃料噴流の主流がある。そのため、少なくとも２個の噴孔を一組として、これら噴孔から噴射された燃料の主流を互いにずらして衝突させることが可能となる。各噴孔から噴射した燃料噴流が衝突後に合流して形成された噴霧は、空気との接触面積を増加することが可能である。なお、噴孔形状は、噴孔径が略一定のストレート状の円筒に限らず、噴射方向に先細のテーパ状の円筒、あるいは先太のテーパ状の円筒等の円筒状であってもよい。いずれも、各噴孔から噴射した燃料噴流に主流が形成できる。
【００５８】
以上説明した本実施形態では、噴孔２８ａに対向するニードル２６の先端面２６ｔの形状が略平面であるいわゆるフラットニードルとしたが、僅かに曲面状にしたフラットニードル（図６参照）、噴孔プレート２８側が頂部の円錐面を有するいわゆるテーパニードル（図７参照）、略球面を有するいわゆるボールニードル（図８参照）のいずれのノズルニードル２６の形状であってもよい。本実施形態において微粒化は噴射後の現象が支配的であるので、噴孔プレート２８上流の燃料流れ状態を決定するノズルニードル２６の形状によらず、微粒化効果を得ることができる。
【００５９】
以上説明した本実施形態では、噴孔プレート２８に配設された複数個（本実施例では６個）の噴孔を一組（本実施例の図１参照）、ないし二組（他の実施例の図５参照）として構成し、それぞれ一点、二点における互いの一点から所定距離ずらされて集合する噴孔軸を有するものとして説明したが、例えば二組のうち、一方の一組を一点から所定距離ずらされて集合する噴孔軸を有するものとし、他方の一組は従来技術を適用したのもの、例えば一点に集合する噴孔軸を有するものとして構成してもよい。すなわち他方の組の各噴孔からの燃料は一点に衝突しても、一方の組の各噴孔から噴射された燃料は、ずらされて衝突することで噴霧を広げ、空気との接触面積を増加させることができるからである。噴孔プレート２８に配設された複数個の噴孔２８ａを複数組に区分けして構成する場合には、少なくとも一組の各噴孔（噴孔群）の噴孔軸が一点から所定距離ずらされて集合するものであればよい。
【００６０】
以上説明した本実施形態では、噴孔２８ａをストレート状の円筒状として説明したが、テーパ状、あるいはスリット状の噴孔であってもよい。
【００６１】
以上説明した本実施形態では、エンジンに噴射供給する燃料で説明したが、噴孔から噴射された燃料等の流体をずらして衝突させることで、噴霧を広げ、空気との接触面積を増加させることができる流体であれば、いずれの流体でもよい。
【図面の簡単な説明】
【００６２】
【図１】本発明の実施形態に係わる噴孔プレートの構成を表す模式図であって、図１（ａ）は図１中のバルブボディの先端部に形成された流体通路の出口を流体流入側からみた平面図、図１（ｂ）は図１（ａ）のＢ−Ｂからみた横断面図である。
【図２】本発明の実施形態の流体噴射弁の概略構成を示す縦断面図である。
【図３】図２中の弁部周りを示す部分的拡大断面図である。
【図４】本発明の実施形態に係わる噴孔プレートに配設された噴孔から噴射された流体の噴霧形状を示す模式図であって、図４（ａ）は正面図、図４（ｂ）は図４（ａ）のＢ−Ｂからみた断面図である。
【図５】他の実施形態に係わる噴孔プレートの構成を表す模式図であって、図５（ａ）は流体流入側からみた平面図、図５（ｂ）は図５（ａ）のＢ−Ｂからみた横断面図である。
【図６】別の他の実施形態に係わる弁部周りを示す部分的拡大断面図である。
【図７】別の他の実施形態に係わる弁部周りを示す部分的拡大断面図である。
【図８】別の他の実施形態に係わる弁部周りを示す部分的拡大断面図である。
【図９】従来技術による噴孔プレートの構成を表す模式図であって、図９（ａ）は流体流入側からみた平面図、図９（ｂ）は図９（ａ）のＢ−Ｂからみた横断面図である。
【図１０】従来技術による噴孔プレートに配設された噴孔から噴射された流体の噴霧形状を示す模式図である。
【図１１】噴孔プレートに配設された噴孔から噴射された流体の噴霧形状を示す噴霧観察写真図であって、図１１（ａ）は従来技術による噴霧形状を示す写真図、図１１（ｂ）は本発明の実施形態に係わる噴霧形状を示す写真図である。
【符号の説明】
【００６３】
１  インジェクタ（流体噴射弁）
２６  ノズルニードル（弁部材）
２６ｂ  有底筒状体
２６ｃ  当接部
２６ｔ  先端面
２８  噴孔プレート
２８ａ（２８ａａ、２８ａｂ、２８ａｃ、２８ａｄ、２８ａｅ、２８ａｆ）  噴孔
２８ａｊ  噴孔軸
２９  バルブボディ
２９ａ  弁座（円錐斜面）
Ｂ  弁部
Ｓ  電磁駆動部
Δｘｘ  所定距離
α  傾斜角
β  オフセット角
【図１】
2005042615.tif 000003
【図２】
2005042615.tif 000004
【図３】
2005042615.tif 000005
【図４】
2005042615.tif 000006
【図５】
2005042615.tif 000007
【図６】
2005042615.tif 000008
【図７】
2005042615.tif 000009
【図８】
2005042615.tif 000010
【図９】
2005042615.tif 000011
【図１０】
2005042615.tif 000012
【図１１】
2005042615.tif 000013